(57)【要約】      （修正有）【課題】操作性、安全性、生産性、経済性の向上を図り、美観の優れた進入防止装置用の着脱式中間支柱を提供する。【解決手段】中間支柱を支柱本体３３と丸型セットプレート３５に二分割し、支柱本体側の上端部にチェーンを着脱可能なチェーンサポート３２と、下端部に係止プレートをそれぞれ設け、丸型セットプレート側は、上板及び中板と下板の全周を溶着し三枚重ね構造に形成し、上板中心部に支柱係止板通し穴と中板中心左右に係止板回動停止部と上部にゴミ等の排出穴部と下部にストッパー挿入穴部をそれぞれ設け、下板中心部に支柱本体の形状に適合した支柱貫通穴と上部にゴミ等の排出穴をそれぞれ設け、支柱の係止板を丸型セットプレート上板通し穴部に下向き方向に嵌挿し、３０〜９０度回動させて固着可能に設け、丸型セットプレートの中板ストッパー挿入穴部にストッパー３９を挿着して設けた。【選択図】図１
0003208895.tif 000002
【実用新案登録請求の範囲】
【請求項１】
駐車場や公共施設等の進入路や歩道、催し会場等の区画整備場所の左右両脇部に、チェーン（Ｃ）を内部に手動式巻き取り収納可能なメイン支柱（１０）と、サブ支柱（２０）との間に、中間支柱（３０）をそれぞれ立設した進入防止装置において、中間支柱（３０）を中間支柱本体（３１）と丸型セットプレート（３５）に二分割して設け、且つ、該支柱本体側の上端部にチェーンを着脱可能に設けたチェーンサポート（３２）と、下端部に係止板（３４）をそれぞれ設け、且つ、丸型セットプレート（３５）側は、上板（３６）及び中板（３７）と下板（３８）の全周を溶着して一体にした三枚重ね構造に形成して設け、且つ、上板（３６）の中心部に支柱係止板通し穴（３６ａ）と、中板（３７）の中心左右に係止板回動停止部（３７ｅ）（３７ｅ）と中板円周上端部にゴミ、砂、水等の排出穴部（３７ａ）と中板円周下端部にストッパー挿入穴部（３７ｄ）をそれぞれ設け、且つ、下板（３８）の中心部に支柱本体の断面形状に適合した支柱貫通穴（３８ｅ）と下板円周上端部に中板に適合したゴミ、砂、水等の排出穴（３８ａ）をそれぞれ設け、支柱の係止板（３４）を丸型セットプレート上板の支柱係止板通し穴部（３６ａ）に下向き方向に嵌挿し、且つ、３０度〜９０度回動させて固着可能に設け、且つ、丸型セットプレート（３５）に挟着して設けた中板（３７）のストッパー挿入穴部（３７ｄ）に支柱抜け出し防止用ストッパー（３９）を挿着して設けたことを特徴とする着脱式中間支柱。
【考案の詳細な説明】
【技術分野】
【０００１】
この考案は、進入防止装置のメイン支柱とサブ支柱の中間部に設置する着脱式中間支柱に関するものである。
【背景技術】
【０００２】
従来、進入防止装置には、チェーンを張設したものが多く、又、出入口の横幅寸法が広い場合は、中間部に中間支柱を設けて、チェーンを支持しているが、車両が出入りする毎に中間支柱を取り外す必要がある。
【０００３】
その為、現状の中間支柱は、掘削機等を使用して地面に円筒形の穴を掘って抜き差し可能に設けたものが大半である。その為、施工時間と多額の費用が掛かるのみならず、支柱を取り外した時、穴部に水が溜り、美観性や安全性、環境衛生的にも悪影響を来す等、問題が多々あった。
【０００４】
そこで、上記問題を解決する為、以前考案し、Ｈ２８年７月４日に出願（実願２０１６−００３１８１）したのが着脱式中間支柱である。
【０００５】
しかし、前記の着脱式中間支柱も製作上のコスト面でややコスト高の傾向に有り、又、操作性や美観性等、更に改造の余地がある。
【先行技術文献】
【特許文献】
【０００６】
【特許文献１】特願２００５−００２５５９
【特許文献２】特願２００６−１８８９１４
【考案の開示】
【考案が解決しようとする課題】
【０００７】
そこで、上記課題を解決する為に、この考案は更に改良を加え、操作性、安全性、生産性、経済性の向上を図り、且つ、美観の優れた着脱式中間支柱を開発・提供することにある。
【課題を解決するための手段】
【０００８】
この課題を解決するための手段として、中間支柱を中間支柱本体と丸型セットプレートに二分割して設け、且つ、該中間支柱本体側の上端部にチェーンを着脱可能に設けたチェーンサポートと、下端部に係止板をそれぞれ設け、且つ、丸型セットプレート側は、上板及び中板と下板の全周を溶着して一体にした三枚重ね構造に形成して設け、且つ、上板の中心部に支柱係止板通し穴と、中板の中心左右に係止板回動停止部と中板円周上端部にゴミ、砂、水等の排出穴部と中板円周下端部にストッパー挿入穴部をそれぞれ設け、且つ、下板の中心部に支柱本体の断面形状に適合した支柱貫通穴と下板円周上端部に中板に適合したゴミ、砂、水等の排出穴をそれぞれ設け、支柱の係止板を丸型セットプレート上板の支柱係止板通し穴部に下向き方向に嵌挿し、且つ、３０度〜９０度回動させて固着可能に設け、且つ、丸型セットプレートに挟着して設けた中板のストッパー挿入穴部に支柱抜け出し防止用ストッパーを挿着して設けたものである。
【考案の効果】
【０００９】
この考案の効果として、支柱上端部のチェーンサポートと、支柱下端部の係止板部を一枚板構造にすることで、安価に製作可能と成り、且つ、支柱を固定する丸型セットプレートを三枚重ね構造にする事で、製作コストが大幅に削減出来、且つ、操作性、耐久性、安全性、経済性面で優れ、極めて有益なる効果を奏するものである。
【図面の簡単な説明】
【００１０】
【図１】本考案の一実施例を示し、（Ａ）は中間支柱の平面図で、（Ｂ）は正面図で、（Ｃ）は右側面図である。
【図２】本考案の一実施例を示し、（Ａ）は中間支柱本体の平面図で、（Ｂ）は正面図で、（Ｃ）は右側面図である。
【図３】本考案の一実施例を示し、（Ａ）は中間支柱の拡大平面図で、（Ｂ）は支柱取付部の一部欠截正面図である。
【図４】本考案の一実施例を示し、（Ａ）は丸型セットプレート用上板の平面図で、（Ｂ）は中板の平面図で、（Ｃ）下板の平面図で、（Ｄ）は丸型セットプレートＡＳＳの平面図で、（Ｅ）は一部欠截正面図で、（Ｆ）は中板と下板を溶着時の平面図で、（Ｇ）は一部欠截正面図である。
【図５】本考案の一実施例を示し、（Ａ）はゴミ、砂等侵入防止キャップの平面図で、（Ｂ）は正面図である。
【図６】本考案の使用例を示し、進入防止装置全体の使用状態図である。
【考案を実施するための形態】
【００１１】
この考案を実施するための形態として、本考案の着脱式中間支柱は、屋外で使用し、車両の通行量が多く、頻繁に支柱を着脱する為、錆びに強い材質を使用し、且つ、耐久性に優れ、変形し難い形状・構造で、且つ、誰もが容易に着脱可能で経済性の良いものにする必要がある。
【実施例１】
【００１２】
そこで、この考案の一実施例を図１〜図５に基づいて詳述すると、駐車場や公共施設等の進入路や歩道、催し会場等の区画整備場所の左右両脇部に、チェーン（Ｃ）を内部に手動式巻き取り収納可能なメイン支柱（１０）と、サブ支柱（２０）との間に、中間支柱（３０）をそれぞれ立設した進入防止装置において、中間支柱（３０）を中間支柱本体（３１）と丸型セットプレート（３５）に二分割して設け、且つ、該中間支柱本体（３１）側の上端部にチェーンを着脱可能に設けたチェーンサポート（３２）と、下端部に係止板（３４）をそれぞれ設け、且つ、丸型セットプレート（３５）側は、上板（３６）及び中板（３７）と下板（３８）の全周を溶着して一体にした三枚重ね構造に形成して設け、且つ、上板（３６）の中心部に支柱係止板通し穴（３６ａ）と、中板（３７）の中心左右に係止板回動停止部（３７ｅ）（３７ｅ）と中板円周上端部にゴミ、砂、水等の排出穴部（３７ａ）と中板円周下端部にストッパー挿入穴部（３７ｄ）をそれぞれ設け、且つ、下板（３８）の中心部に支柱本体の断面形状に適合した支柱貫通穴（３８ｅ）と下板円周上端部に中板に適合したゴミ、砂、水等の排出穴（３８ａ）をそれぞれ設け、支柱の係止板（３４）を丸型セットプレート上板の支柱係止板通し穴（３６ａ）部に下向き方向に嵌挿し、且つ、３０度〜９０度回動させて固着可能に設け、且つ、丸型セットプレート（３５）に挟着して設けた中板（３７）のストッパー挿入穴部（３７ｄ）に支柱抜け出し防止用ストッパー（３９）を挿着して設けたことを特徴とする着脱式中間支柱から構成される。
【００１３】
そこで、本考案の着脱式中間支柱は（３０）は、図１に示すように、中間支柱本体（３１）と丸型セットプレート（３５）に二分割し、且つ、中間支柱本体（３１）を丸型セットプレート（３５）側にワンタッチで誰もが容易に着脱可能な構造にしたものである。尚、以前考案し、出願した中間支柱のセットプレートは、丸型と角型の二種類設けて、いずれかを選択して使用できるようにしていたが、角型のメリットは少なく、今回は丸型の一種類に統一してコスト削減を図っている。
【００１４】
そして、前記中間支柱本体（３１）は、図２に示すように、上端部にチェーンサポート（３２）を一枚板から切り抜き形成し、且つ、板の中心部にチェーンハンガー部（３２ｂ）とチェーン通し用切欠き部（３２ａ）をそれぞれ設け、且つ、支柱本体（３３）は支柱（３３ａ）と支柱上端頭部に設けた半球形状のヘッドキャップ（３３ｂ）から成り、且つ、支柱本体の下端部に支柱をエンドプレート側に係止する為の係止板（３４）を水平方向に溶着して設けたもので、主要部材は全てステンレス（ＳＵＳ３０４−２Ｂ.＃１）製を使用し、外装をアクリル焼付塗装を施している為、美観的に見栄えが良く、高級感があるものに成っている。
【００１５】
そして、中間支柱本体（３１）を支える丸型セットプレート（３５）は、図３又は図４に示すように、上板（３６）と中板（３７）と下板（３８）の三枚重ね構造に形成され、中板（３７）と下板（３８）を全周溶着して一体形成し、その上面部に上板（３６）を複数の皿ビス等の係止部材で螺着し、且つ、下板（３８）の中心左右２か所に設けたアンカーボルト通し穴（３８ｃ）部にアンカーボルト・ナット等の係止部材（ＡＢ）を螺着して地面に固定するものである。
【００１６】
又、図４は丸型エンドプレート（３５）の上板（３６）と中板（３７）と下板（３８）の分割詳細図を示したもので、図４（Ａ）に示す上板（３６）には、中心部に支柱係止板通し穴（３６ａ）を設け、且つ、中心左右２か所にアンカーボルト・ナット通し穴（３６ｃ）をそれぞれ設け、且つ、周囲４か所に皿ビス通し穴（３６ｂ）（３６ｂ）（３６ｂ）（３６ｂ）をそれぞれ設けている。
【００１７】
又、図４（Ｂ）に示す中板（３７）には、中心左右２か所に支柱係止板（３４）の回動停止部（３７ｅ）（３７ｅ）をそれぞれ設け、且つ、円周上端部にゴミ、砂、水等の排出穴（３７ａ）を設け、且つ、円周下端部に支柱抜け出し防止用ストッパー（３９）の挿入穴部（３７ｄ）を設け、且つ、中心左右２か所にアンカーボルト・ナット逃し穴（３７ｃ）（３７ｃ）をそれぞれ設け、且つ、周囲４か所に皿ビス係止穴（３７ｂ）（３７ｂ）（３７ｂ）（３７ｂ）をそれぞれ設けている。
【００１８】
又、図４（Ｃ）に示す下板（３８）には、中心部に支柱貫通穴（３８ｅ）を設け、且つ、中心左右２か所にはアンカーボルト通し穴（３８ｃ）（３８ｃ）をそれぞれ設け、且つ、円周上端部にゴミ、砂、水等の排出穴（３８ａ）を設け、且つ、周囲４か所には皿ビス逃し兼水抜き穴（３８ｂ）（３８ｂ）（３８ｂ）（３８ｂ）をそれぞれ設けている。
【００１９】
又、図４（Ｄ）（Ｅ）に示す丸型セットプレート（３５）は、上板（３６）を４本の皿ビスで中板係止穴（３７ｂ）（３７ｂ）（３７ｂ）（３７ｂ）に螺着し、且つ、下板のアンカーボルト通し穴部にアンカーボルト・ナット等の係止部材（ＡＢ）（ＡＢ）を係止して固着するものである。
【００２０】
又、図４（Ｆ）（Ｇ）に示す丸型セットプレート（３５）の円周下端部に設けたストッパー挿入穴部（３７ｄ）中心部には、支柱抜け出し防止用ストッパー（３９）のガイドピン（３９ｂ）を嵌着してガイドストッパーの前後スライド量を規制している。
【００２１】
尚、前記丸型セットプレート（３５）の固定方法は、アンカーボルト・ナット等の係止部材（ＡＢ）（ＡＢ）に限定するものではなく、設置状況に応じて接着剤等の固着部材を使用して固定しても良い。
【００２２】
又、中間支柱本体（３１）を丸型セットプレート（３５）から取り外した際は、ゴミや砂な水等の侵入を防止する為に、図５（Ａ）（Ｂ）に示すゴミ、砂、水等の侵入防止キャップ（４０）を嵌着してゴミ、砂、水等の侵入を防止する。図５（Ａ）の侵入防止キャップ上蓋（４０ａ）の外周２か所に設けた抜き取り用引掛け穴（４０ａ'）（４０ａ'）はキャップを取り外す際に、治具等を使用して回しながら取り外すもので、下部の係止板（４０ｂ）は丸型セットプレート上板（３６）の支柱係止板通し穴（３６ａ）部（３６ａ）に挿入し、回動させて固定するものである。
【００２３】
そして、図６は本考案の中間支柱の使用例を示し、進入防止装置全体の使用状態図である。
【産業上の利用可能性】
【００２４】
この考案の着脱式中間支柱は、支柱の着脱が容易で、支柱を取り外した場合でも、キャップをする事で、ゴミや砂や水の侵入をある程度防止出来、且つ、美観性や安全性や環境衛生的にも優れ、且つ、構造が簡単な為、製作コストが安価で、施工が簡単に出来る為、ランニングコストも掛からない為、多くの駐車場や公共施設等に寄与する点で産業上の利用可能性を有する。
【符号の説明】
【００２５】
１０  メイン支柱
２０  サブ支柱
３０  中間支柱
３１  中間支柱本体
３２  チェーンサポート
３２ａ  チェーン通し用切欠部
３２ｂ  チェーンハンガー部
３３  支柱本体
３３ａ  支柱
３３ｂ  ヘッドキャップ
３４  係止板
３５  丸型セットプレート
３６  上板
３６ａ  支柱係止板通し穴
３６ｂ  皿ビス通し穴
３６ｃ  アンカーボルト・ナット通し穴
３７  中板
３７ａ  中板のゴミ、砂、水等の排出穴部
３７ｂ  皿ビス係止穴
３７ｃ  アンカーボルト・ナット逃し穴
３７ｄ  ストッパー挿入穴部
３７ｅ  係止板回動停止部
３８  下板
３８ａ  下板のゴミ、砂、水等の排出穴部
３８ｂ  皿ビス逃し兼水抜き穴
３８ｃ  アンカーボルト通し穴
３８ｄ  ストッパーピン係止穴
３８ｅ  支柱貫通穴
３９  支柱抜け出し防止用ストッパー
３９ａ  ストッパースライド用長穴
３９ｂ  ストッパーガイドピン
４０  ゴミ、砂、水等の侵入防止キャップ
４０ａ  上蓋
４０ａ'  抜き取り用引掛け穴
４０ｂ  係止板
ＡＢ  アンカーボルト・ナット等の係止部材
Ｃ  チェーン
ＳＢ  皿ビス等の係止部材
【図１】
0003208895.tif 000003
【図２】
0003208895.tif 000004
【図３】
0003208895.tif 000005
【図４】
0003208895.tif 000006
【図５】
0003208895.tif 000007
【図６】
0003208895.tif 000008